(57)【特許請求の範囲】
【請求項１】
雌雄のハウジングのうちの一方のハウジングにおける嵌合面側にはフード部が設けられ、このフード部の所定領域に他方のハウジングが嵌合されるようにしたコネクタにおいて、
前記フード部の外面には、前記一方のハウジングにおける嵌合方向の後方から目視可能な目印が設けられ、かつ前記一方のハウジングはこの目印から下側の領域が前記他方のハウジングに対する嵌合領域とされ、かつ前記目印は、雌雄のハウジングの嵌合に際して前記他方のハウジングに対する位置合わせを可能としていることを特徴とするコネクタ。
【請求項２】
前記目印が、前記フード部における嵌合側の端縁に設けられていることを特徴とする請求項１記載のコネクタ。
【発明の詳細な説明】
【０００１】
【発明の属する技術分野】
本発明は、雌雄のハウジングの嵌合操作をスムーズに行えるように改良を加えたコネクタに関する。
【０００２】
【従来の技術】
従来のコネクタの一例として、図１９に示すようなものが知られている。このものは、雌雄の端子金具ａ，ｂをそれぞれに収容した雌雄のハウジングｃ，ｄを備えており、雄ハウジングｄには係止突部ｅが形成される一方、雌ハウジングｃには、この係止突部ｅに係止するロックアームｆが撓み変形可能に設けられるとともに、端子金具ａの収容部分ｇとロックアームｆの前半部分の回りを囲むようにしてフード部ｈが形成されている。そして、ロックアームｆを撓み変形させつつ雄ハウジングｄが雌ハウジングｃのフード部ｈ内に嵌合され、正規に嵌合されたところでロックアームｆが復動して係止突部ｅに係止されることで嵌合状態にロックされるようになっている。
【０００３】
【発明が解決しようとする課題】
ところで、雄ハウジングｄがフード部ｈ内で嵌合される領域は、正確には端子金具ａの収容部分ｇと対応する領域である。一方、フード部ｈは、ロックアームｆを囲むことに加えて、その撓み変形を許容する空間ｉを確保する必要があることから、勢い背の高いものとなる。ことに、少極のコネクタのように端子金具ａの収容部分ｇが小さいものでは、フード部ｈ内に占める雄ハウジングｄの嵌合される領域が少なくなる。ちなみに同図のものでは、フード部ｈ内のおよそ下半分の領域に雄ハウジングｄが嵌合されるところとなる。
【０００４】
このことは逆に、雄ハウジングｄをフード部ｈ内に嵌合する場合の位置合わせを注意して行う必要があることを意味しており、雌ハウジングｃの嵌合面側を目視しながら嵌合できる場合は比較的良いが、両ハウジングｃ，ｄの配設位置の関係等で、図２０に示すように、雌ハウジングｃの嵌合面側が隠れた状態で嵌合作業を行う場合には、雄ハウジングｄをフード部ｈのどの当たりの位置に嵌合して良いか分かりづらく、嵌合作業に手間取るという問題があった。
本発明は上記のような事情に基づいて完成されたものであって、その目的は、雌雄のハウジングの嵌合操作をスムーズに行えるようにするところにある。
【０００５】
【課題を解決するための手段】
上記の目的を達成するための手段として、請求項１の発明は、雌雄のハウジングのうちの一方のハウジングにおける嵌合面側にはフード部が設けられ、このフード部の所定領域に他方のハウジングが嵌合されるようにしたコネクタにおいて、
前記フード部の外面には、前記一方のハウジングにおける嵌合方向の後方から目視可能な目印が設けられ、かつ前記一方のハウジングはこの目印から下側の領域が前記他方のハウジングに対する嵌合領域とされ、かつ前記目印は、雌雄のハウジングの嵌合に際して前記他方のハウジングに対する位置合わせを可能としているところに特徴を有する。
請求項２の発明は、請求項１に記載のものにおいて、前記目印が、前記フード部における嵌合側の端縁に設けられているところに特徴を有する。
【０００６】
【発明の作用及び効果】
＜請求項１の発明＞
雌雄のハウジングを嵌合するに際して、フード部を設けた側のハウジングの嵌合面が十分に目視できないような場合であっても、フード部に設けられた目印により、相手のハウジングをフード部内のどの領域に位置合わせすればよいか判別される。その結果、雌雄のハウジングの嵌合操作をスムーズに行うことができる。
＜請求項２の発明＞
目印がフード部の嵌合側の端縁にあることで、相手のハウジングの位置合わせがより正確にできる。
【０００７】
【発明の実施の形態】
以下、本発明の一実施形態を図１ないし図１８に基づいて説明する。
この実施形態では、図１に示すように、互いに嵌合される雄側のコネクタハウジング１（以下、雄ハウジングという）と、雌側のコネクタハウジング１１（以下、雌ハウジングという）とを備えている。なお以下では、各ハウジング１，１１において、嵌合される面側を前面とする。
【０００８】
雄ハウジング１は、合成樹脂材により電気機器から直に突出して設けられ、前方へ開口するほぼ角筒状に形成されており、内部には２本の雄側端子金具２が横方向に並んで収容されている。雄ハウジング１の上面の前端寄りの位置には係止突部３が形成され、この係止突部３の両側に、一対のリブ４が軸線方向に沿って互いに平行に立てられている。
【０００９】
次に、雌ハウジング１１について説明する。雌ハウジング１１も同様に合成樹脂材により形成され、キャビティ１３を横に２個並べて設けた本体部１２を有し、各キャビティ１３内にそれぞれ雌側端子金具（図示せず）が抜け止め状態で収容可能とされている。
本体部１２における前半部の回りには、図２にも示すように前方に開口するフード部１４が形成され、このフード部１４の上面中央部はさらに上方へ膨出して、アーチ部１５が形成されている。このアーチ部１５の天井面は、本体部１２の後面の所定寸法手前の位置まで達している。また本体部１２の上面は後方に所定寸法延出され、この延出面１６の両側に、上記したアーチ部１５の側壁と連なる側壁１７が形成され、この中に後記するスプリングホルダ２５の収容空間１８が構成されている。
【００１０】
この収容空間１８内には、両ハウジング１，１１を嵌合状態に保持するためのロックアーム２０が設けられている。このロックアーム２０は、本体部１２の前面より少し引っ込んだ位置から、後面より少し後方に突出した位置にわたって前後方向を向いて配され、長さ方向のほぼ中央部で本体部１２の上面と連結され、この連結部２１を支点として前後がシーソー状に撓み変形可能となっている。ロックアーム２０の先端には鈎状をなすロック爪２２が形成され、両ハウジング１，１１が完全嵌合したときには係止突部３の後面側に係止して両ハウジング１，１１を嵌合状態に保持するように機能する。ロック爪２２の先端面には奥側へ向けてテーパ面が形成され、係止突部３への乗り上げ動作が円滑になされるようになっている。
【００１１】
また収容空間１８には、ロックアーム２０を覆うようにしてスプリングホルダ２５が収容されている。このスプリングホルダ２５は、後記するコイルバネ４１を組み込んだ状態でユニット化され、ユニット状態で取り扱われて収容空間１８に組み込みができるようになっている。スプリングホルダ２５は、図５に示すように、前端側を幅狭とした平板状の基板２６を有しており、その下面にはロックアーム２０を挟むようにして左右一対のバネ収容部２７が前後方向に沿って形成されている（図７参照）。
【００１２】
スプリングホルダ２５の左右両側面には、ほぼ全長にわたって一対のガイドレール２８が張り出し形成されている。両ガイドレール２８の前端にはテーパが施されている。一方、雌ハウジング１１の収容空間１８の左右の内壁には、両ガイドレール２８をスライド可能に嵌合する前後方向の溝２９が形成されており、この溝２９は、後面側に開口して形成されている。このためスプリングホルダ２５は、左右のガイドレール２８を対応する溝２９に合わせて後面側から挿入可能であり、基板２６がアーチ部１５の天井面とロックアーム２０の上面の間に沿って進入可能となっている。
【００１３】
アーチ部１５の天井面の前端側では、所定領域にわたって保護壁３０が形成されている。そのため挿入されたスプリングホルダ２５は、幅狭部３１の先端が保護壁３０に突き当たることで前方への移動が規制されるようになっている。また、この保護壁３０は、スプリングホルダ２５が組み付けられた場合に、幅狭部３１の先端に不用意に外力が作用することから保護する機能を併せて果たしている。
【００１４】
上記のように収容空間１８に挿入されて前止まり規制されたスプリングホルダ２５は、図１に示すように、その後端側の一部がアーチ部１５の後方で露出された状態となる。この露出された後端部が丁度ロックアーム２０の後端部の上面に対応しており、ここに、ロックアーム２０のロック解除を行うための解除操作片３２が形成されている。解除操作片３２は、図５に示すようにその両側に切り込みが入れられて上下方向の撓み変形が可能となっており、その後端部には一段高くなった操作段部３３が形成されている。操作段部３３の後面角部はテーパ状の操作面３４とされており、この操作面３４に、マイナスドライバ等の治具を挿入する治具孔３５が形成されている。なお、治具孔３５の縦向きの当接面３６も斜めとされている。
【００１５】
またスプリングホルダ２５の基板２６の裏面には、上記した解除操作片３２の幅寸法をもって前端縁を残した状態で逃がし凹部３８が形成されている。この逃がし凹部３８は両ハウジング１，１１の嵌合がなされる間、ロックアーム２０が係止突部３を乗り越える際のロックアーム２０の撓み動作を許容するためのものである。
一方、逃がし凹部３８の前壁は、ロックアーム２０の前端と係止して後述するスプリングホルダ２５の後退動作を規制する拘束壁３９となる。この拘束壁３９の当接面４０は、上方に向かって次第に肉厚が大きくなるようなテーパ面とされている。
【００１６】
スプリングホルダ２５におけるバネ収容部２７には、それぞれコイルバネ４１がほぼ自然状態でかつ水平に収容されている。バネ収容部２７の前面側は、図７に示すようにその内側の半面のみが開口して形成され、すなわち両バネ収容部２７の前端縁に形成された一対の止め片４２によって、両バネ収容部２７の外側半面が覆い隠されるようになっている。両コイルバネ４１の前端側には、それぞれスプリングシート４４が嵌着されている。両スプリングシート４４は、止め片４２の裏側でこれと当たり合うことでコイルバネ４１の前方への抜け止めを行っている。また、両スプリングシート４４における止め片４２から露出する部分は、雌雄のハウジング１，１１が嵌合されるときに雄ハウジング１のリブ４とそれぞれ対向する位置に設定されており、したがってこの嵌合時には、両リブ４によって対応するスプリングシート４４を介してコイルバネ４１の圧縮動作がなされることになる。
【００１７】
両バネ収容部２７の外側面には、スプリングホルダ２５を前進位置に仮係止するための一対の保持アーム５４が設けられている。詳細には、図６にも示すように、両バネ収容部２７の外側面の後端側に、斜め下方に開くようにして取付板５５が形成されており、この取付板５５の先端から保持アーム５４が、取付板５５の板面にほぼ沿った姿勢で前方に延びた片持ち状に形成されている。したがって両保持アーム５４は、斜め内方に向けて撓み変形が可能であり、その先端には係止爪５６が形成されている。
【００１８】
一方、本体部１２の長さ方向のほぼ中央部の外周面には、上面の左右両角部、言い換えると肩の部分において一対の引掛部６０が突設されており、上記した保持アーム５４の係止爪５６が対応する引掛部６０に弾性的に係止可能となっている。これにより、スプリングホルダ２５が常には前進位置に仮係止されるようになっている。この両保持アーム５４の係止爪５６は、雄ハウジング１の上縁先端における両角部と当接可能であり（図１３参照）、両ハウジング１，１１の嵌合の進行にしたがって引掛部６０との係合が解除されるようになっている。但し、その係合が解除される時期は、両ハウジング１，１１の完全嵌合に当たり、ロックアーム２０によるスプリングホルダ２５の係止が解除される直前の状態（図１１，１２の状態）で行われるように設定されている。
【００１９】
なお、図１４に詳細に示すように、係止爪５６における雄ハウジング１の先端縁が当接する当接面５７と、引掛部６０に係止する係止面５８とは、それぞれテーパ状に形成されている。また、上記した収容空間１８における底面側の両端部には、図３に示すように、保持アーム５４や取付板５５を挿入案内する斜め姿勢のガイド溝６２が形成されている。
【００２０】
また、基板２６の上面における幅狭部３１の付け根付近の位置には左右一対の上側突部６４が形成されている一方、アーチ部１５の天井面には、図４に示すように、上記の上側突部６４を嵌めて逃がす前後方向の逃がし溝６５が形成され、その途中位置に、各上側突部６４に係止可能な上側係止突起６６が形成されている。また、バネ収容部２７の下面の後端寄りの位置には左右一対の下側突部６７が形成されている一方、収容空間１８の底面（延出面１６）に、下側突部６７を嵌めて逃がす前後方向の逃がし溝６８が形成され、その途中位置に、各下側突部６７に係止可能な下側係止突起６９が形成されている。そして、スプリングホルダ２５の拘束が解除されて後退動作を行った場合に、上側突部６４が上側係止突起６６に、下側突部６７が下側係止突起６９にそれぞれ突き当たって、スプリングホルダ２５の後退が規制されるようになっている。
【００２１】
さらに、雌ハウジング１１のフード部１４の先端縁における左右の外面には、相手の雄ハウジング１の嵌合領域を示すための目印７１が突設されている。この目印７１は、図２，３及び図８に示すように、本体部１２の上面の左右の角部のほぼ外側に対応して設けられており、フード部１４内におけるこの目印７１から下側の領域が、雄ハウジング１の嵌合領域ということになる。これらの目印７１は、雌ハウジング１１の後面側から目視可能である。
【００２２】
本実施形態は上記のような構造であって、続いてその作用を説明する。
雌雄のハウジング１，１１を嵌合させる場合には、スプリングホルダ２５が前進位置に仮係止して組み付けられた雌ハウジング１１を、図８の矢線に示すように、電気機器から直に突設された雄ハウジング１に対向させて嵌合する。この場合、雄ハウジング１は雌ハウジング１１における本体部１２の回りに嵌合される必要があるが、雄ハウジング１の高さに比べて、雌ハウジング１１におけるアーチ部１５を含むフード部１４の高さが大きいため、雌ハウジング１１の嵌合面側が目視できない形態では、フード部１４のうちのどの領域を雄ハウジング１に合わせればよいのか分かりづらい。
【００２３】
その点この実施形態では、フード部１４の外面における左右の側面に、雄ハウジング１のほぼ上面と対応する位置を示す目印７１が設けられているから、目印７１を後方から目視しつつ、その下側に雄ハウジング１が来るようにしてフード部１４を雄ハウジング１に被せて押し込むことにより、雄ハウジング１を雌ハウジング１１の本体部１２の回りに嵌合することができる。
【００２４】
このように雌雄のハウジング１，１１が嵌合されると、ロックアーム２０のロック爪２２が雄ハウジング１の係止突部３に当接し、図９に示すように、ロックアーム２０のロック爪２２側が係止突部３に乗り上げて持ち上がり、これにより、ロック爪２２がスプリングホルダ２５の拘束壁３９に係止されるようになる。一方、ロック爪２２と係止突部３との当接から僅かに遅れて、図１０に示すように、両リブ４が対応するスプリングシート４４に当接し、嵌合が進むにしたがって両コイルバネ４１が押し込まれる。このときには上記したようにスプリングホルダ２５はロックアーム２０と拘束壁３９との係止によって後方への移動が規制されているため、両コイルバネ４１はそれらの後端側において拘束され、両コイルバネ４１はリブ４の押し込みによってそれぞれ圧縮される。
【００２５】
但し、ロックアーム２０によってスプリングホルダ２５の移動規制がなされるまでの間は、両保持アーム５４が引掛部６０に係止した状態となっているため、何らかの事情で両コイルバネ４１が押されることがあっても、不用意にスプリングホルダ２５が後退してしまうことはない。
【００２６】
両保持アーム５４と引掛部６０との係止は、両ハウジング１，１１の嵌合途上も継続するが、完全嵌合に至る直前の状態、すなわちロック爪２２が係止突部３を乗り越える直前の状態（図１１及び図１２の状態）になると、図１３に示すように、雄ハウジング１の先端縁が両保持アーム５４における係止爪５６の当接面５７に当接して両保持アーム５４の先端側を持ち上げるため、係止爪５６と引掛部６０との係止が解除される。すなわち、この解除動作はロックアーム２０によるスプリングホルダ２５の係止解除に先立って行われることになる。
【００２７】
ここで、両保持アーム５４の係止爪５６は、本体部１２の外周面における両肩の部分に突設された引掛部６０に対して斜め姿勢で係止されているから、例えば図１５に示すように、雄ハウジング１が相対的に先下がりの姿勢となって嵌合された場合にも、雄ハウジング１の先端縁（上縁の両角の部分）が係止爪５６の当接面５７に当接することができ、よって係止爪５６の引掛部６０に対する係止の解除が確実になされる。
【００２８】
また、図１４（Ａ）に示すように、保持アーム５４の係止爪５６の係止面５８がテーパ状に形成されているから、雄ハウジング１の先端縁が係止爪５６の当接面５７を押圧した場合に、同図（Ｂ）の実線の矢線に示すように、係止面５８が引掛部６０の角に摺接しつつ保持アーム５４が次第に撓み変形して、ついには係止爪５６が引掛部６０から外れるように作動する。すなわち、係止爪５６が引掛部６０から徐々に外れることで、例えば係止爪５６が引掛部６０から一気に外れる場合のように異音が発生することがない。そのため、後記するように両ハウジング１，１１が完全嵌合に至って、ロックアーム２０が復動した際に発生する音と間違えるおそれがなく、異音の発生に起因した勘違いにより嵌合動作が中断されることが未然に防止される。
【００２９】
なお、上記の勘違いによる場合以外にも、両ハウジング１，１１の嵌合動作が途中で中断され、すなわち半嵌合状態に留められる場合が有り得る。その場合は、スプリングホルダ２５に組み込まれた両コイルバネ４１のバネ力によって、両端子が非導通状態となるまで雌ハウジング１１が雄ハウジング１から離れるように押し戻される。これにより半嵌合であったことが検知されるので、再度雌ハウジング１１を押し込み操作すればよい。
【００３０】
また、既に保持アーム５４が撓み変形した途中で半嵌合状態に留められた場合であっても、図１４（Ｂ）に示すように、係止爪５６におけるテーパ状の係止面５８が引掛部６０の角に引っ掛かった状態にある限りは、両ハウジング１，１１が引き離されることに続いて、係止爪５６は復元弾力によりテーパに沿うようにして同図の鎖線の矢線に示すように元の係止位置に戻り、スプリングホルダ２５の仮係止が再度達成される。そのため、改めて雌ハウジング１１の押し込み操作を行う前に、不用意にスプリングホルダ２５が後退することが防止され、コイルバネ４１を利用した嵌合検知機能が再度発揮できる。
【００３１】
一方、両ハウジング１，１１が正規位置まで嵌合されると、ロックアーム２０のロック爪２２が係止突部３を乗り越え、ロックアーム２０が復動可能な状態となる。このとき、ロックアーム２０の前端には拘束壁３９が押し付けられて、水平方向にコイルバネ４１のバネ力が作用しており、ともすれば両者間の摩擦力によりロックアーム２０の復動が妨げられることが懸念されるが、拘束壁３９の当接面４０がテーパ面として形成されていることから、コイルバネ４１のバネ力からテーパ面に沿うようにしてロックアーム２０を復動させる方向の分力が得られ、この分力とロックアーム２０自体の復動力とにより、図１６に示すように、ロックアーム２０はスムーズに元位置に復動される。これに伴い、ロック爪２２が係止突部３の後面に係止して嵌合状態にロックが掛かり、雌雄の端子金具の電気的な接続が完了する。
【００３２】
同時にロック爪２２が拘束壁３９から外れるため、スプリングホルダ２５はロックアーム２０による拘束が解かれ、両コイルバネ４１のバネ力によってスプリングホルダ２５は後退する。そして、図１８に示すように、上側突部６４が上側係止突起６６に、下側突部６７が下側係止突起６９にそれぞれ突き当たることで、スプリングホルダ２５の後退が停止される。両コイルバネ４１はスプリングホルダ２５の後方への移動に伴いほぼ自然長さへ復帰しているため、完全嵌合状態において両ハウジング１，１１を離間させる力として作用することはない。
また、完全嵌合している状態では、図１７に示すように、スプリングホルダ２５の拘束壁３９がロックアーム２０の前端側を押さえ付けているため、係止突部３に対する係止が二重になされ、より確実なロック状態が得られている。
【００３３】
両ハウジング１，１１を離間させる場合には、図１７，１８の状態から、解除操作片３２の操作面３４を垂直に押圧するか、あるいは治具孔３５に治具を入れて当接面３６を垂直に押圧すると、まず前向きの分力によって、両コイルバネ４１を圧縮させながらスプリングホルダ２５が前方に押し込まれ、両保持アーム５４が再度引掛部６０に係止する。このときスプリングホルダ２５は、拘束壁３９がロックアーム２０の前端を通過する位置にまで復帰しているため、引き続いて下向きの分力によって解除操作片３２が下方に撓み変形させられることにより、ロックアーム２０の後端側が押され、ロックアーム２０の前端側が強制的に持ち上げられて、ロック爪２２が係止突部３から外れる。これにより、両ハウジング１，１１を引き離すことができる。
【００３４】
本実施形態では、以下のような格別の利点が得られる。雄ハウジング１に対して雌ハウジング１１のフード部１４を嵌合する場合に、雄ハウジング１に比べてフード部１４の背が高いことから、フード部１４のどの領域を雄ハウジング１に合わせて嵌合すればよいか判別しづらいのであるが、フード部１４の外面における左右の側面には、雄ハウジング１のほぼ上面と対応する位置を示す目印７１が設けられているから、目印７１を後方から目視しつつ、その下側に雄ハウジング１が来るようにフード部１４を雄ハウジング１に被せて押し込むことにより、雄ハウジング１を雌ハウジング１１の本体部１２の回りに嵌合することができる。すなわち、雌雄のハウジング１，１１の嵌合操作をスムーズに行うことができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、目印の手段として突起状のものを例示したが、逆に溝状のものであったり、あるいはフード部の外面とは異なる色を付したりと、要は、雄ハウジングの嵌合領域を後面側からの目視可能に示せるものであればよい。
（２）雄ハウジングが機器直結型ではなくて、単体として取り扱われるものにも、本発明は同様に適用できる。
【００３６】
（３）スプリングホルダ及びロックアームが雄ハウジング側に設定されてフード部で覆われており、このフード部内に雌ハウジングが嵌合される構造のものでは、雄ハウジングのフード部の外面に雌ハウジングの嵌合領域を示す目印を設ければよい。
（４）本発明はバネを用いた嵌合検知コネクタに限らず、雌雄のハウジングの一方の嵌合面側に設けられたフード部内の所定の領域に、他方のハウジングが嵌合される形式のコネクタ全般に広く適用することができる。
【図面の簡単な説明】
【図１】本発明の一実施形態に係る嵌合前の両ハウジングを示す縦断面図
【図２】雌ハウジングの正面図
【図３】雌ハウジングの背面図
【図４】雌ハウジングのコイルバネの装着部分で切断した縦断面図
【図５】スプリングホルダの分解斜視図
【図６】スプリングホルダの正面図
【図７】雌ハウジングのコイルバネの装着部分で切断した平断面図
【図８】雌ハウジングの嵌合動作を示す一部切欠側面図
【図９】ロックアームが係止突部に当接した状態を示す縦断面図
【図１０】コイルバネの圧縮が開始された状態の縦断面図
【図１１】ロックアームが係止突部を乗り越える直前の状態を示す縦断面図
【図１２】図１１の状態と同時期におけるコイルバネの圧縮状況を示す縦断面図
【図１３】保持アームが引掛部から解離したタイミングにおける縦断面図
【図１４】保持アームの係止部分の拡大図
【図１５】両ハウジングがこじて嵌合された場合の概略図
【図１６】ロックアームが復動した状態を示す縦断面図
【図１７】スプリングホルダが後退した状態を示す縦断面図
【図１８】そのときのコイルバネの装着部分で切断した縦断面図
【図１９】従来例に係る嵌合前の状態を示す一部切欠側面図
【図２０】その斜視図
【符号の説明】
１…雄ハウジング
１１…雌ハウジング
１２…本体部
１４…フード部
１５…アーチ部
７１…目印
【図１】
0003951469.tif 000002
【図２】
0003951469.tif 000003
【図３】
0003951469.tif 000004
【図４】
0003951469.tif 000005
【図５】
0003951469.tif 000006
【図６】
0003951469.tif 000007
【図７】
0003951469.tif 000008
【図８】
0003951469.tif 000009
【図９】
0003951469.tif 000010
【図１０】
0003951469.tif 000011
【図１１】
0003951469.tif 000012
【図１２】
0003951469.tif 000013
【図１３】
0003951469.tif 000014
【図１４】
0003951469.tif 000015
【図１５】
0003951469.tif 000016
【図１６】
0003951469.tif 000017
【図１７】
0003951469.tif 000018
【図１８】
0003951469.tif 000019
【図１９】
0003951469.tif 000020
【図２０】
0003951469.tif 000021